(57)【要約】【課題】  政党内のメンバーを世代に分けて管理し、それぞれの世代が有する関心項目、それぞれの世代を代表する候補者を選び出して政党としての政策を立案し、政党代表を選出する政党運営ネット選挙システムを提供する。【解決手段】  政党内における各メンバー毎のメンバー情報が記憶されるメンバー情報格納部と、前記メンバー情報を世代別に分類した世代別メンバー情報が記憶される世代別メンバー情報格納部と、政策立案や政党内選挙を実施するためのプログラム情報が記憶されるプログラム格納部とを備えた管理装置、および、前記管理装置に通信ネットワークを介して接続され、政策立案や政党内選挙に参加するための各種データを発信するためのメンバー側装置（ＰＣ）とにより政党運営ネット選挙システムを構築する。【選択図】図１
2014154080.tif 000002
【特許請求の範囲】
【請求項１】
政党内における各メンバー毎のメンバー情報が記憶されるメンバー情報格納部と、前記メンバー情報を世代別に分類した世代別メンバー情報が記憶される世代別メンバー情報格納部と、政策立案や政党内選挙を実施するためのプログラム情報が記憶されるプログラム格納部とを備えた管理装置と、
前記管理装置に通信接続され、政策立案や政党内選挙に参加するための各種データを発信するためのメンバー側装置とにより構築されていることを特徴とする政党運営ネット選挙システム。
【請求項２】
請求項１記載の政党運営ネット選挙システムにおいて、政党内選挙の実施に際しては、前記メンバー情報には住所情報が含まれており、この住所情報を基にメンバーの関心項目の解析が行われることを特徴とする政党運営ネット選挙システム。
【請求項３】
請求項１記載の政党運営ネット選挙システムにおいて、政党内選挙の実施に際しては、選挙権者は１人２票有し、１票はメンバー各自の自分世代の候補者に対して投票し、残りの１票は自分世代以外の世代の候補者に対して投票する方式を採用し、世代別による選出、及びトータル人気による選出を行うことを特徴とする政党運営ネット選挙システム。
【発明の詳細な説明】
【技術分野】
【０００１】
本発明は、政党運営ネット選挙システム、特に政党に属するメンバーを各世代別に分けて管理し、メンバーの意見、要望を世代ごとの意見、要望として集計し、政党としての主張をまとめ上げるようにした政党運営ネット選挙システムに関するものである。
【背景技術】
【０００２】
民主主義を基盤とした政治体制としては、民衆が代表を選び、選ばれた代表（議員）が政治を遂行する間接民主制が我が国などで実施されている。間接民主制では、メンバーは投票で議員を選ぶ。選ばれた複数の議員が議会において政策を提案あるいは提案された政策を多数決で決定する。決定された政策は、政策実行者（例えば政府）が実行し、メンバーに受益を与える。また、上記のような議員を議会に送り込むために、政治的に近い考え、思想を持つ複数の人が集まって政党を作ることがある。
【０００３】
従来技術として、総会ホストコンピュータをネットワークを介して多数の端末コンピュータを接続し、端末コンピュータに議案を提示して質疑入力を行わせ、議論が煮詰まった段階で議案に対すて賛否投票入力させ、総会ホストコンピュータが賛否投票を集計し、配信する技術がある（特許文献１）。
【先行技術文献】
【特許文献】
【０００４】
【特許文献１】特開２００１−２０９６８７号公報
【発明の概要】
【発明が解決しようとする課題】
【０００５】
しかし、上述した特許文献１では、単に意思決定支援者（議員）と多数のメンバーとの間で政策に対する質疑応答し、議論の内容に対して賛成または反対を多数決によって決めるだけなので、議論の対象そのものについて、本当に重要であるのか、どれ位重要であるのかについては十分吟味されないという問題がある。
【０００６】
本発明は、このような問題を解決するため、政党内のメンバーを世代に分けて管理し、それぞれの世代が有する関心項目、それぞれの世代を代表する候補者を選び出して政党としての政策を立案し、政党代表を選出する政党運営ネット選挙システムを提供することを目的としている。
【課題を解決するための手段】
【０００７】
本発明は、上記目的を達成するため、政党内における各メンバー毎のメンバー情報が記憶されるメンバー情報格納部と、前記メンバー情報を世代別に分類した世代別メンバー情報が記憶される世代別メンバー情報格納部と、政策立案や政党内選挙を実施するためのプログラム情報が記憶されるプログラム格納部とを備えた管理装置と、前記管理装置に通信接続され、政策立案や政党内選挙に参加するための各種データを発信するためのメンバー側装置とにより構築された政党運営ネット選挙システムを要旨とする。
【０００８】
上記政党運営ネット選挙システムにおいて、前記メンバー情報にはメンバーの住所情報が含まれており、この住所情報を基にメンバーの関心項目の解析が行われるようにすることがかのうである。また、政党内選挙の実施に際しては、選挙権者は１人２票有し、１票はメンバー各自の自分世代の候補者に対して投票し、残りの１票は自分世代以外の世代の候補者に対して投票する方式を採用し、世代別による選出、及びトータル人気による選出を行うことも可能である。
【発明の効果】
【０００９】
本発明によれば、政党内のメンバーを世代に分けて管理し、それぞれの世代が有する関心項目、それぞれの世代を代表する候補者を選び出して政党としての政策を立案し、政党代表を選出する。また、世代を考慮してメンバーの要望や主張を抽出し、話し合いの場面に持ち出すから、政策立案に当たっては、メンバー全体における総花的問題とは違った、世代についてより切実な問題について政策を打ち出すことができる。また、社会の変革、改善により有用となる。
【図面の簡単な説明】
【００１０】
【図１】本発明の一実施の形態に係る政党運営ネット選挙システムの構成を示すブロック図である。
【図２】前記実施の形態において用いられる記憶部の内部構成を示すブロック図である。
【図３】前記実施の形態におけるメンバー登録処理動作を説明するフローチャート（受託）である。
【図４】前記実施の形態において政党への加入申し込みを行うための加入申し込みフォームを示す図である。
【図５】前記実施の形態においてメンバー情報の構成を示す図である。
【図６】前記実施の形態において世代区分の一例として挙げられた表図である。
【図７】前記実施の形態において説明図である。
【図８】前記実施の形態において世代別メンバー情報を表にして表した例を示す図である。
【図９】前記実施の形態において、世代別アンケート調査の実施によって得られた有権者関心項目を世代別で集計して世代ごとに順位別に表す図である。
【図１０】前記実施の形態においてメンバーに配信される立候補者プロフィール情報の一例を示す図である。
【図１１】前記実施の形態において政党内選挙を行って得られた選挙結果を表す一覧表図である。
【発明を実施するための形態】
【００１１】
次に、図面を参照して本発明の実施の形態およびその動作を詳細に説明する。図１は、本発明の政党運営ネット選挙システムの構成を示すブロックである。図１に示された政党運営ネット選挙システムＳは、本発明に係る政党（以下、本政党という）の運営を管理する管理装置２１と、政党に加入しているメンバー（有権者、会員）により操作されるコンピュータ装置であるメンバーＰＣ（パーソナルコンピュータ）２２により構成される。管理装置２１は、当該政党運営ネット選挙システムＳにおける各種処理を実行し、またシステム全体の動作をコントロールするＣＰＵ１と、ＣＰＵ１による処理実行のためのプログラム及びその他のデータが格納されるＲＯＭ（読み出し専用メモリ）２と、ＣＰＵ１により処理実行されるデータが展開されるＲＡＭ（書き換え自在メモリ）３と、プログラム及びその他の各種データが格納される記憶部４と、記憶部４とは別に各種データが格納される外部記憶媒体５と、外部との通信を制御する通信制御部６と、システムへの各種コマンド或いはデータを入力する入力部７と、データを画像表示するディスプレイ８と、データを印刷出力するプリンタ９とを備えている。ＣＰＵ１と格納機能部２〜９との間はバス１８ａにより接続されている。
【００１２】
ＲＯＭ２にはＥＰＲＯＭ或いはＥＥＰＲＯＭが用いられる。ＲＡＭ３にはＳＲＡＭ、ＤＲＡＭ、フラッシュメモリ或いは半導体集積回路で構成されたもの等の高速での読み出し、書き込みが可能なメモリが用いられる。記憶部４にはハードディスク（ＨＤＤ）、ストレージ等の大容量記憶が可能な記憶手段が用いられる。外部記憶媒体としては、ＣＤ、ＦＤ、外付けＨＤＤ等が用いられる。通信制御部６はインターネット等の通信ネットワーク１０に接続され、メンバーのＰＣ等との間の通信動作を制御する。入力部７はキーボード、マウス、スキャナなどにより構成され、ＣＰＵ１への処理指示等のデータ（コマンド）が入力される。
【００１３】
図２は上記管理装置２１において用いられる記憶部４の構成を示す図である。この記憶部４は、ＣＰＵ１による処理実行のための各種プログラムが記憶されるプログラム格納部２３５と、ＣＰＵ１により処理実行された処理データが記憶される処理情報格納部１２と、地図情報を基礎に作成された地域情報が記憶される地域情報格納部１３と、会員に関するデータが記憶されるメンバー情報格納部１４と、メンバー情報を加工して世代別に作成された情報が記憶される世代別メンバー情報格納部１５とその他一般的な情報が記憶される基礎情報格納部１６とを有する。また、記憶部４にはＣＰＵ１或いは他の機能部との間でデータのやりとりを行うためのデータ入出力部１７が設けられている。データ入出力部１７は各情報格納部１１〜１６との間でバス１８ｂにより接続されている。また、管理装置２１は、加工情報をメンバーＰＣ２２へ通信ネットワーク１０を介して送付する。
【００１４】
動作説明（本案）
以上の構成を有する政党運営ネット選挙システムＳについて、以下動作を説明する。先ず、政党運営ネット選挙システムＳにおけるメンバー情報の入力及びメンバー登録の受け付け処理について説明する。この処理は本政党に加入したい者の加入登録を受け付ける処理をいう。メンバー情報の入力処理は、例えば、メンバーＰＣ２２の操作により行われる一方、受け付け処理は管理装置２１により行われる。図３は入力及び受け付け処理の手順を説明するフローチャートである。図３において、管理装置２１のＣＰＵ１は一般の加入希望者から本政党への加入申し込みが有るか否かをチェックし（ステップＳ１）加入申し込みが無ければ、このチェック動作を繰り返し行う。加入申し込みが有った場合は、ＣＰＵ１は、記憶部４の基礎情報格納部１６から加入申し込み用のフォームを読み出して加入希望者のＰＣ（メンバーＰＣ２２に相当）へ送付し（ステップＳ２）、その後この加入申し込み用のフォームの返信が有るか否かをチェックする（ステップＳ３）。加入申し込みを行うためのフォームとしては、例えば図４に示された加入申し込みフォーム２３があり、加入希望者が自己のＰＣから入力できるようになっている。この加入申し込みフォーム２３には加入申し込みを行うための記入項目としては、申込年月日２４、加入申し込み者の氏名２５、郵便番号２６、住所２７、電話番号２８、メールアドレス２９、生年月日３０、性別３１などの項目がある。これらの記入項目のうち、本政党に加入するために必須の記入項目は、氏名２５である。郵便番号２６、住所２７、電話番号２８、メールアドレス２９については、これら３つの項目のうち、少なくともいずれか１項目が記載されていればよい。ただし、本政党側からメンバー側への連絡方法（例えばＥ−メールアドレス等）は明らかにする必要がある。また、生年月日２９については年情報のみの記入でも良い。性別３０については記入してもしなくても良い。
【００１５】
ステップＳ３において加入申し込みフォーム２３の返信が無ければ、ＣＰＵ１はメンバー情報の入力及び受け付け処理についての一連の動作を終了する。他方、加入申し込みフォーム２３の返信があれば、加入受け付け処理を行い（ステップＳ４）、新メンバーに登録番号（ＩＤ）及びパスワードを発行する。またＣＰＵ１は、返信された加入申し込みフォーム２３を基にメンバー情報を作成し、このメンバー情報を記憶部４のメンバー情報格納部１４へ格納する（ステップＳ５）。図５はメンバー情報の構成を示す図である。図５に示されるように、メンバー情報３５には、氏名情報３６と、郵便番号情報３７と、住所情報３８と、電話番号情報３９と、メールアドレス情報４０と、生年月日情報４１と性別情報４２とが含まれている。さらにＣＰＵ１は、メンバー情報３５を分析・加工する（ステップＳ６）。この処理動作においてＣＰＵ１は、各メンバー情報３５について、その中の生年月日情報４１を抽出し、各メンバーを世代区分に分ける。
【００１６】
世代区分の一例としては、例えば図６に表図として示されたものがある。図６において世代区分４５は第１世代４６〜第１１世代５６までの１１世代にわたって区分けされ、第１世代４６の対象年齢は２０〜２４歳、第２世代４７の対象年齢は２５〜２９歳、以下同様にして、第３世代４８は３０〜３４歳、第４世代４９は３５〜３９歳、第５世代５０は４０〜４４歳、第６世代５１は４５〜４９歳、第７世代５２は５０〜５４歳、第８世代５３は５５〜５９歳、第９世代５４は６０〜６４歳、第１０世代５５は６５〜６９歳、第１１世代５６は７０歳以上、というように区分けされている。そして、各世代区分に対応するメンバーの氏名がリストアップされ、世代別メンバー情報５７が作成される。この世代別メンバー情報を記憶部４の世代別メンバー情報格納部１５へ送付し格納する（ステップＳ７）。図７は上述のようにして作成された世代別メンバー情報の一例を示す。図７において、上段に表されている世代の区分け（第１世代４６〜第１１世代５６）は図６に示されたものと同じものである。そして、この世代別メンバー情報においては、世代ごとに氏名が列挙される。例えば第１世代４６の欄においては、氏名００１、氏名００２、氏名００３、・・・というように同世代のメンバーが順位の高い者から順に列挙されている。順位の高い、低いは、この政党内部における各メンバーの貢献度、影響力によって決定され、固定的ではない。すなわち、貢献度合いによっては、上記氏名００１、氏名００２、氏名００３のメンバーの順位が入れ替わることは十分にあり得る。
【００１７】
このように、メンバー情報を各世代ごとに区分けして管理することにより、各世代ごとによる議論や研究会などを実施し、要望を収集し、分析することができる。したがって、本発明の政党は世代政党としての特質を持つ。この世代政党に備えられた政党運営ネット選挙システムの活動には、例えば下記のような例が挙げられる。
【００１８】
（１）政策研究会、勉強会の企画、実施
この活動では、メンバー或いは議会への立候補者に対して、現在問題となっていて解決していかなければならない時事問題や社会問題及び各世代で解決していきたい問題を本政党で取り上げ、学者、官僚、民間シンクタンク及び専門家を招き研究会、勉強会を実施する。研究会、勉強会は、世代間にわたって実施されてもよいが、本政党の特徴は、上記世代別メンバー情報格納部１５から抽出した世代別メンバー情報により、世代ごと、或いは複数に区分けされた各世代のうちの任意に組み合わせられた一部の世代を対象として容易に企画立案し実施し得ることである。そのために、ＣＰＵ１はメンバー情報格納部１５から世代別メンバー情報を読み出し、世代ごとのメンバーの抽出処理を行って政策研究会、勉強会の企画連絡、及び実施を行う。
【００１９】
（２）政党党員、会員への情報、ニュース提供
この活動では、政治上の情報、社会情報を提供する他、上記（１）の企画情報や独自のニュースをメンバー向けに発信する。メンバー向けのニュースの提供に際しては、一般的なニュースは全世代のメンバーに対して提供される。しかしながら、本政党の特徴は、ニュース或いは各種情報の種類によっては上記世代別メンバー情報格納部１５から抽出した世代別メンバー情報により、世代ごと、或いは特定の世代を対象としてニュース或いは各種情報を提供し得ることである。そのために、ＣＰＵ１はメンバー情報格納部１５から世代別メンバー情報を読み出し、世代ごとのメンバーの抽出処理を行って、通信制御部６から通信ネットワーク１０を介して世代ごと、或いは特定の世代のＰＣ２０を対象としてニュースを配信する。また、一般的なニュースについては通信制御部６から通信ネットワーク１０を介して全メンバーのＰＣ２０へ配信してもよいし、或いは世代政党のＨＰ（ホームページ）に掲載してもよい。
【００２０】
（３）政党政策の立案を公表
この活動では、政党において、世代ごとに提案される政策を政党内の選挙管理委員会を中心に一定期間ごと（例えば半年に１回程度）にまとめ、メンバーの投票を実施し、その過半数の賛成で政党の政策として公表する。ＣＰＵ１は記憶部４の基礎情報格納部１６から世代ごとに提案された政策情報を読み出してメンバーに配信するとともに、プログラム格納部１１から投票処理プログラムを読み出して投票用紙データを格納メンバーに通信ネットワーク１０経由で配布して投票を促す。そして、メンバーのＰＣ２０から通信ネットワーク１０経由で返信されてきた投票用紙データを解析し、過半数の賛成を獲得した政策が何であるかを判定する。判定結果は通信制御部６から通信ネットワーク１０を介して全メンバーのＰＣ２０へ配信してもよいし、或いは政党のＨＰに掲載してもよい。また、判定結果は記憶部４の基礎情報格納部１６に格納される。ＣＰＵ１は政党内の世代ごとに提案される政策を一定期間（例えば半年）ごとに自動抽出して政党内の選挙管理委員会へ送付する。政党内の選挙管理委員会は上記政策をその都度まとめ、メンバーの投票を実施し、その過半数の賛成で政党の政策として公表する。
【００２１】
（４）世代別アンケート調査の実施
この活動では、政党において、定期的（例えば２か月に１回）「メンバー関心項目アンケート調査」を実施し、世代別及びトータルで集計する。そのためにＣＰＵ１は記憶部４のプログラム格納部１１からアンケート調査プログラムを読み出し、アンケート調査用紙データを各メンバーに通信ネットワーク１０経由で配布してアンケート回答を促す。そして、メンバーのＰＣ２０から通信ネットワーク１０経由で返信されてきたアンケート調査用紙データを世代別及びトータル（全世代）で集計し、解析する。解析結果は通信制御部６から通信ネットワーク１０を介して全メンバーのＰＣ２０へ配信してもよいし、或いは世代政党のＨＰに掲載してもよい。図８は、一例として上記世代別アンケート調査の実施によって得られた有権者関心項目をトータルで集計して順位別に表す図である。図８から明らかなように、アンケート調査の解析結果によれば、全世代にわたるメンバーについての有権者関心項目２５の第１位は「東日本大震災」２６であり、第２位は「原発・放射線」２７、第３位は「税金」２８、第４位は「節電」２９であることが示されている。図９は、他の例として上記世代別アンケート調査の実施によって得られた有権者関心項目を世代別で集計して世代ごとに順位別に表す図である。図９から明らかなように、第１世代についてアンケート調査の解析結果によれば、有権者関心項目２２の第１位は「就職」２３であり、第２位は「転職」２４であり、以下「年金」、「保険」・・・と続くことが示されている。他の世代についても、有権者関心項目２２の順位が示され、それぞれの世代について有権者関心項目２２の順位内容が異なっていることが分かる。さらに、メンバー情報には住所情報が含まれており、この住所情報を基にメンバーの関心項目の解析が行われる。例えばＣＰＵ１は、各メンバーについて、世代のみならず住所地域をも加味して有権者関心項目を解析する。このように、本発明の政党運営ネット選挙システムはこれらの有権者関心項目２２の内容から問題点の所在を摘出する。
【００２２】
（５）政党内選挙の管理
この活動では、政党において、定期的（例えば２か月に１回）世代選挙を実施し、その結果を集計して選挙結果を公表する。そのためにＣＰＵ１は記憶部４のプログラム格納部１１から世代選挙プログラムを読み出して投票用紙データを各メンバーに通信ネットワーク１０経由で配布して投票を促す。そして、メンバーのＰＣ２０から通信ネットワーク１０経由で返信されてきた投票用紙データを世代別及びトータルで集計し、解析する、一種のインターネット選挙である。世代別及びトータルで集計し、解析するために選挙権は１人２票有し、１票はメンバー各自の自分世代の候補者に対して投票し、残りの１票は自分世代以外の世代の候補者に対して投票するように規定されている。また、ＣＰＵ１は記憶部４の基礎情報格納部１６から立候補者プロフィール情報を読み出し、これをメンバーへ配信する。図１０はメンバーに配信される立候補者プロフィール情報の一例を示す。この立候補者プロフィール情報３０は、立候補者の氏名として氏名１０１が表示され、その立候補者の写真（顔写真）３１と、生年月日３２と、出身地３３と、経歴３４と、活動状況３５と、主義主張３６といった立候補者についての情報が明示されている。また、この立候補者についての管理委員会コメント３７も明示されている。選挙人であるメンバーは配信された上記立候補者プロフィール３０を見て、或いは他のメンバーからの立候補者に関する情報を基に自己が投票する立候補者を決定し、投票処理をする。この立候補者プロフィール情報３０は、政党内に設置されている党内選挙管理委員会において、立候補予定者の本人確認を行い、適切と認められた場合に候補者として政党のＨＰ上に掲載され、候補者は日常の活動内容をアップする。また、管理委員会は委員会としての評価をコメントして、作り上げられたものである。
【００２３】
投票処理した投票用紙データはメンバーのＰＣ２０から通信ネットワーク１０経由で管理装置２１へ返信される。これにより、いわゆるインターネット選挙が実施される。返信されてきた投票用紙データを世代別及びトータルで集計し、解析した結果は管理装置２１の通信制御部６から通信ネットワーク１０を介して全メンバーのＰＣ２０へ配信してもよいし、或いは世代政党のＨＰに掲載してもよい。図１１は選挙結果を表す一覧表を示す図である。この選挙結果一覧表４０には、立候補者全体における得票順位４１と、各得票順位に該当する氏名１０１，１０２、・・・と、各氏名１０１，１０２、・・・に該当する者が属する世代３００とが明示されている。例えば得点順位が１番の氏名１０１の人は世代３００の欄では「１」と表示され、これは氏名１０１の人は第１世代に属することを表す。同様に、得点順位が２番の氏名１０２の人は第６世代に属することを表す。このように、本発明の政党運営ネット選挙システムは世代別に政党の代表を選出する。
【産業上の利用可能性】
【００２４】
以上のように、本発明では、政党運営ネット選挙システムが世代を考慮してメンバーの要望や主張を抽出し、話し合いの場面に持ち出すから、政策立案に当たっては、メンバー全体における総花的問題とは違った、世代についてより切実な問題について政策を打ち出すことができ、社会の変革、改善により有用となる。
【図１】
2014154080.tif 000003
【図２】
2014154080.tif 000004
【図３】
2014154080.tif 000005
【図４】
2014154080.tif 000006
【図５】
2014154080.tif 000007
【図６】
2014154080.tif 000008
【図７】
2014154080.tif 000009
【図８】
2014154080.tif 000010
【図９】
2014154080.tif 000011
【図１０】
2014154080.tif 000012
【図１１】
2014154080.tif 000013